(57)【特許請求の範囲】
【請求項１】
内框に取り付けられる内フレームに枢支され、外框のストライク板に係脱されるカマと、内フレームに上下動可能に設けられると共にカマに連係され、室内側から操作部材で操作される駆動板と、外框に取り付けられる外フレームに向けて駆動板に突設された係合片と、外フレームに装着されたシリンダ錠と、外フレームに上下動可能に案内されると共に、相互に平行で上下方向に延在する第１ラック及び第２ラックを形成した作動板と、外フレームに回動可能に支承されると共にシリンダ錠の内筒に連結され、かつ、作動板の第１ラックに噛み合う第１ピニオンと、外フレームに回動可能に支承され、作動板の第２ラックと噛み合う第２ピニオンを介して作動板に連係され、合鍵によるシリンダ錠内筒の所定の方向への回動時、外フレームのストライク板から振出されて内フレームの係合片と係合する施錠アームとを有するものにおいて、上記第１ピニオンに係止切欠を形成し、この係止切欠の近傍に、ストライク板に垂直な前後方向に移動可能に案内され、第１磁石と一体に結合された係止突起を設け、この係止突起を係止切欠と係合する方向に付勢する一方、引戸閉鎖時上記第１磁石と同磁極で対峙する第２磁石を、内フレームに揺動可能に設けられた制御レバーに装着すると共に、この制御レバーを、その係止段部が上記駆動板に形成された鈎部に係合してそのカマ振出し方向への移動を阻止する方向に付勢し、引戸閉鎖時、磁気反発力により相互に離間する方向に移動する第１及び第２磁石により、上記第１ピニオンと係止突起及び制御レバーと駆動板との係合を同時に解くようにしたことを特徴とする引戸錠。
【発明の詳細な説明】
【０００１】
【発明の属する技術分野】
この発明は、２つの引戸をその召し合せ部分で施錠する引戸錠に係り、特に、引戸が完全に閉鎖されていないときにはシリンダ錠を操作しても施錠操作が行われないようにした安全装置を備えた引戸錠に関する。
【０００２】
【従来の技術】
本出願人等は、先に、特願平７−３２９９１４号、特願平８−２４８７１３号、或いは特願平８−２７７０２４号を以て、新規な引戸錠を提案した。
【０００３】
これらの引戸錠は、何れも、外框側に装着されたシリンダ錠の内筒をピニオンを介して上下方向に移動可能に案内されたラック板に連結し、このラック板によってストライク板から振出される施解錠アームを内框側に設けられたスライダに連係させる。
【０００４】
そして、シリンダ錠の合鍵を回すことにより内框のカマを外框側に振出させて施解錠する。
【０００５】
ちなみに、室内側からは内框に装着された内フレームの操作摘みを上げ下げすることにより、施解錠アームとは独立にカマを外框側に振出すことができる。
【０００６】
【発明が解決しようとする課題】
しかして、上記本出願人の先の出願に係る引戸錠は、引戸が開いているときにもシリンダ錠に合鍵を差込みこれを施錠方向に回すことができる。
【０００７】
すると、上記した構成により施解錠アームが外框のストライク板から相手方の引戸方向に振出され、その侭引戸を閉鎖方向に移動させると、この施解錠アームが相手方の引戸の框に衝突して施解錠アームが曲ったり或いは相手方の引戸の框に傷を付けてしまう、という不都合があった。
【０００８】
そこで、この発明は、引戸が開いているときには合鍵をシリンダ錠に差込んでも施錠操作ができない安全装置を備えた引戸錠を提供し、以て上記した不都合を解消することを目的としている。
【０００９】
【課題を解決するための手段】
上記の目的を達成するため、この発明は、内框に取り付けられる内フレームに枢支され、外框のストライク板に係脱されるカマと、内フレームに上下動可能に設けられると共にカマに連係され、室内側から操作部材で操作される駆動板と、外框に取り付けられる外フレームに向けて駆動板に突設された係合片と、外フレームに装着されたシリンダ錠と、外フレームに上下動可能に案内されると共に、相互に平行で上下方向に延在する第１ラック及び第２ラックを形成した作動板と、外フレームに回動可能に支承されると共にシリンダ錠の内筒に連結され、かつ、作動板の第１ラックに噛み合う第１ピニオンと、外フレームに回動可能に支承され、作動板の第２ラックと噛み合う第２ピニオンを介して作動板に連係され、合鍵によるシリンダ錠内筒の所定の方向への回動時、外フレームのストライク板から振出されて内フレームの係合片と係合する施錠アームとを有するものにおいて、上記第１ピニオンに係止切欠を形成し、この係止切欠の近傍に、ストライク板に垂直な前後方向に移動可能に案内され、第１磁石と一体に結合された係止突起を設け、この係止突起を係止切欠と係合する方向に付勢する一方、引戸閉鎖時上記第１磁石と同磁極で対峙する第２磁石を、内フレームに揺動可能に設けられた制御レバーに装着すると共に、この制御レバーを、その係止段部が上記駆動板に形成された鈎部に係合してそのカマ振出し方向への移動を阻止する方向に付勢し、引戸閉鎖時、磁気反発力により相互に離間する方向に移動する第１及び第２磁石により、上記第１ピニオンと係止突起及び制御レバーと駆動板との係合を同時に解くようにしたことを特徴とする。
【００１０】
【実施例】
以下、図面に示す実施例に基づいてこの発明について説明する。
なお、この発明は、前記した本出願人等の先の出願に係る全ての引戸錠に適用可能であるが、この実施例においては、最近の出願である特願平８−２７７０２４号によって提案された引戸錠にこの発明を適用した例を示す。
【００１１】
この発明が適用される引戸錠の従来の構成は、本発明の要旨ではないしまた周知であるが、発明の理解のために必要であるから、以下簡単に説明する。
【００１２】
図１及び図２において符号１は内フレームを、符号２は外フレームを夫々示し、これら内、外フレーム１、２は、引戸閉鎖時相互に召し合わせとなる内框及び外框に装着される。
【００１３】
この内フレームの下方には、水平なカマ軸３によって鈎形のカマ４が枢支されており、このカマ４は、カマに開口した係合孔５及び駆動板６に突設された係合ピン７との係合を介して、駆動板６に連係されている。
【００１４】
この駆動板６は内框１内において上下方向に延在し、かつ同方向に移動可能に案内された板材で、室内側に設けられた操作摘み８を図１に示す状態から下方に手指で押動すると、これと一体の駆動板６が下降する。
【００１５】
すると、上記係合ピン７がカマ４を回動させて、図１に鎖線で示すように、その先端を外フレーム２方向に振出し、外フレーム２のストライク板９に開口したストライク孔１１（図２参照）に係合させて引戸錠を施錠する。
【００１６】
なお、上記した引戸錠の施錠は室外側からシリンダ錠の合鍵を用いても行うことができる。
【００１７】
すなわち、外フレーム２にはシリンダ錠１２が装着されており、そのシリンダ錠の内筒は、図示しないテールピースを介して、ストライク板９とシリンダ錠１２との間の空間に回動可能に支承された第１ピニオン１３に連結されている。
【００１８】
この第１ピニオン１３の近傍には、外フレーム２の側板に沿って、図３に示すように細長い板材で、相互に平行で上下方向に延在する第１ラック１４及び第２ラック１５を形成した作動板１６が上下方向に移動可能に案内されている。
【００１９】
そして、特に図２に明示するように、上記第１ピニオン１３は作動板の第１ラック１４と噛み合い係合をしている。
【００２０】
一方、図１及び図２に示すように、外フレーム２の上下方向における中央部でストライク板９に近接した部分には、水平な作動軸１７によって、施錠アーム１８及び解錠アーム１９を一体に結合した板材、及び作動歯車２１が同軸かつ一体に結合されかつ回動可能に軸支されている。
【００２１】
また、上記作動軸１７の外側には、第２ピニオン軸２２により、作動板１４の第２ラック１５及び上記作動歯車２１に共に噛み合い係合をするアイドルギアとしての第２ピニオン２３が回動自在に軸支されている。
【００２２】
上記した構成により、合鍵をシリンダ錠１２の鍵孔に差込んで、第１ピニオン１３を図２で時計方向に回動させると、作動板１６が上昇し、図１において施錠アーム１８が反時計方向に回動する。
【００２３】
そして、施錠アーム１８はストライク板の開口から内フレーム１方向に振出され、外フレーム２に向けて駆動板６に突設された係合片２４を下方に押動するので、外側からもカマ４を制御することができる。
【００２４】
本発明による安全装置は、上記した構成の引戸錠に装着されるもので、その特徴的な作用効果は、引戸が開いているときには第１ピニオン１３の回動を拘束する、というものである。
【００２５】
そのため、図１及び図２に示すように、第１ピニオン１３に係止切欠２５を形成すると共に、この係止切欠１３の近傍に、ストライク板９に垂直な前後方向に移動可能に案内され、第１磁石２７と一体に結合された係合突起２６を設ける。
【００２６】
図示の実施例では、図４に示すように、この係止突起２６は上端を外フレームの側板に軸支された揺動レバー２９の突部として形成されている。
【００２７】
この揺動レバー２９は、その上端に巻装された図示しない捩りコイルばねの弾力により、下端の係止突起２６が係止切欠２５と係合する方向に付勢されている。
【００２８】
一方、上記係止突起２６に一体に結合された第１磁石２７に対応して、引戸閉鎖時この第１磁石２７と整合する内フレーム１の部分には、第１磁石と同磁極でこれと対峙する第２磁石２８が装着されている。
【００２９】
図示の実施例では、この第２磁石２８は図示の実施例における引戸錠の第２の安全装置である制御レバー３１（図１参照）に装着されている。
【００３０】
この制御レバー３１は、図示しないばねにより、反時計方向に回動する方向に付勢されている。
【００３１】
この制御レバー３１は、その下端部に形成された係止段部３２を駆動板６の上端部に形成された鈎部３３に下方から係合可能に臨ませたもので、引戸が開いているときには第１及び第２磁石２７、２８は整合していないから、係止段部３２は図１に実線で示すように鈎部３３の移動軌跡と干渉する位置にある。
【００３２】
したがって、引戸が開いているときに操作摘み８を下方に押動しようとしても、すぐに駆動板の鈎部３３が係止段部３２に係止されてしまい、したがって駆動板６はそれ以上下降できないのでカマ４を振出すことができない。
【００３４】
上記のように構成されたこの発明による引戸錠は、引戸が開いているときには、第１及び第２磁石２７、２８は遠くに離れているから、相互に磁気的な作用力はなく、したがって、図１に実線で示すようにストライク板９の開口から外端面を覗かせる位置にある。
【００３５】
このときには、係止突起２６が係止切欠２５と係合しているから、合鍵をシリンダ錠に差込んでこれを施錠方向に回そうとしても、内筒に連結された第１ピニオン１３が係止突起２５に係止されて動かず、そのため施錠アーム１８が振出されることがない。
【００３６】
一方、引戸が閉鎖されると、第１及び第２磁石２７、２８が相互に同磁極で対峙する結果、これらは相互に離間する方向に移動し、第１磁石２７と一体の係止突起が係止切欠２５から外れる。
【００３７】
したがって、第１ピニオン１３が自由になり、合鍵の操作により外側から内ケースのカマ４をストライク板に係合させ、引戸錠を施錠することができる。
【００３８】
図示の実施例による引戸錠では、同時に制御レバー３１の係止段部３２が駆動板６の鈎部３３の移動軌跡から退避するので、室内から操作摘み８を操作して引戸錠を施錠することができるようになる。
【００３９】
【発明の効果】
以上の説明から明らかなように、この発明は、シリンダ錠の内筒に連結され、作動板を介して施錠アーム操作部材に連係された第１ピニオンに係止切欠を形成し、この係止切欠の近傍に、ストライク板に垂直な前後方向に移動可能に案内され、第１磁石と一体に結合された係止突起を設け、この係止突起を係止切欠と係合する方向に付勢する一方、引戸閉鎖時上記第１磁石と同磁極で対峙する第２磁石を内フレームに装着したから、引戸閉鎖時にのみ第１及び第２磁石の磁気反発力によって係止突起を係止切欠から外して施錠可能にし、引戸が開いているときには施錠アームのストライク板からの振出しを防止する、という所期の効果を奏する。
【図面の簡単な説明】
【図１】  この発明の一実施例による引戸錠を示す縦断側面図。
【図２】  外フレームの正面図で、ストライク板の一部を破断して示す。
【図３】  作動板の正面図。
【図４】  揺動レバーの正面図。
【符号の説明】
１  内フレーム
２  外フレーム
４  カマ
６  駆動板
９  ストライク板
１２  シリンダ錠
１３  第１ピニオン
１４  第１ラック
１５  第２ラック
１６  作動板
１８  施錠アーム
１９  解錠アーム
２４  係合片
２５  係止切欠
２６  係止突起
２７  第１磁石
２８  第２磁石
【図１】
0004225631.tif 000002
【図２】
0004225631.tif 000003
【図３】
0004225631.tif 000004
【図４】
0004225631.tif 000005